(57)【要約】【課題】  組み立て玩具として遊ぶことができ、しかも小型化が容易で且つ低コストに製造できる組み立て式ボール玩具を提供する。【解決手段】  組み立てた状態で、複数の多角形の表皮ピースを縫い合わせてボールカバーが構成される球技用ボールを模した外形状となるボール玩具であって、表皮ピースを模した表皮ピース模擬部を有する複数の構成ピースからなり、この構成ピースとして、ボール周方向の複数の表皮ピース模擬部を備え、中央部に軸挿通孔が貫設された複数の本体構成ピースＡと、ボール頂部又は底部の表皮ピース模擬部を備えた連結用構成ピースＢ１、Ｂ２を有し、この連結用構成ピースＢ１、Ｂ２は、前記本体構成ピースＡの軸挿通孔に挿通される軸部を有するとともに、該両軸部の先端に、互いが脱着可能に連結される連結部を有する。【選択図】      図１
2005118236.tif 000002
【特許請求の範囲】
【請求項１】
組み立てた状態で、複数の多角形の表皮ピースを縫い合わせてボールカバーが構成される球技用ボールを模した外形状となる組み立て式ボール玩具であって、
前記表皮ピースを模した表皮ピース模擬部を有する複数の構成ピースからなり、これら複数の構成ピースを互いに組み付けることにより球形状に組み立てられる構造を有し、
前記複数の構成ピースとして、ボール周方向の複数の表皮ピース模擬部を備え、中央部に軸挿通孔が貫設された複数の本体構成ピースＡと、ボール頂部の表皮ピース模擬部を備えた第１連結用構成ピースＢ１と、ボール底部の表皮ピース模擬部を備えた第２連結用構成ピースＢ２とを有し、
前記第１連結用構成ピースＢ１と第２連結用構成ピースＢ２は、前記本体構成ピースＡの軸挿通孔に挿通される軸部を有するとともに、該両軸部の先端に、互いが脱着可能に連結される連結部を有することを特徴とする組み立て式ボール玩具。
【請求項２】
表皮ピース模擬部が、複数の正五角形表皮ピース模擬部と、複数の正六角形表皮ピース模擬部とからなることを特徴とする請求項１に記載の組み立て式ボール玩具。
【請求項３】
表皮ピース模擬部が、１２個の正五角形表皮ピース模擬部と、該正五角形表皮ピース模擬部を取り囲む状態に配される２０個の正六角形表皮ピース模擬部とからなり、
第１連結用構成ピースＢ１及び第２連結用構成ピースＢ２が、各々１つの正五角形表皮ピース模擬部を備え、
本体構成ピースＡとして、下記(1)〜(3)の本体構成ピースＡ１〜Ａ５を有することを特徴とする請求項２に記載の組み立て式ボール玩具。
(1) 各々が、前記第１連結用構成ピースＢ１又は第２連結用構成ピースＢ２の正五角形表皮ピース模擬部を取り囲む５個の正六角形表皮ピース模擬部を備えた、１対の本体構成ピースＡ１，Ａ２
(2) 各々が、前記本体構成ピースＡ１又は本体構成ピースＡ２の隣接する正六角形表皮ピース模擬部の２辺で構成される５つの各コーナー部に接する５個の正五角形表皮ピース模擬部を備えた、１対の本体構成ピースＡ３，Ａ４
(3) 前記両本体構成ピースＡ３，Ａ４の隣接する正五角形表皮ピース模擬部の各１辺に接し且つ前記本体構成ピースＡ１又は本体構成ピースＡ２の正六角形表皮ピース模擬部の１辺に接する１０個の正六角形表皮ピース模擬部を備えた本体構成ピースＡ５
【発明の詳細な説明】
【技術分野】
【０００１】
この発明は、サッカーボールなどの球技用ボールを模した組み立て式ボール玩具に関する。
【背景技術】
【０００２】
従来、サッカーボールなどのボールを模した外形状を有する組み立て玩具として、例えば、ボールカバーを構成する表皮ピースを模した複数の六角形パネル及び五角形パネルを備え、これらをピン結合で組み付けて球形状に組み立てるようにした玩具（特許文献１）や、複数の分割されたベース部材を組み立てることにより球体を構成し、このベース部材に別の嵌込部材を嵌め込むようにした玩具（特許文献２）など知られている。
【０００３】
【特許文献１】登録実用新案第３０１９８２６号公報
【特許文献２】登録実用新案第３００１０７９号公報
【発明の開示】
【発明が解決しようとする課題】
【０００４】
しかし、これらの玩具は、構成部材をピンなどによる機械的手段で結合して組み立てるものであって、組み立てられたボール玩具は比較的大きな中空体であり、例えば、置物、貯金箱、時計や温度計の保持体として利用できるようにしたものである。したがってこれら従来技術の玩具は、その大きさや製造コストの面で、数センチ程度の小さいプラスチックケースに入れられて自動販売機で販売されるような玩具（所謂、ガチャポンと呼ばれる玩具）や、商品の景品として用いられる小型の玩具には適さない。
【０００５】
したがって本発明の目的は、組み立て玩具として遊ぶことができ、しかも小型化することが容易で且つ低コストに製造することが可能な組み立て式ボール玩具を提供することにある。
【課題を解決するための手段】
【０００６】
上記課題を解決するため、本発明の組み立て式ボール玩具は、以下のような特徴を有する。
［1］ 組み立てた状態で、複数の多角形の表皮ピースを縫い合わせてボールカバーが構成される球技用ボールを模した外形状となる組み立て式ボール玩具であって、
前記表皮ピースを模した表皮ピース模擬部を有する複数の構成ピースからなり、これら複数の構成ピースを互いに組み付けることにより球形状に組み立てられる構造を有し、
前記複数の構成ピースとして、ボール周方向の複数の表皮ピース模擬部を備え、中央部に軸挿通孔が貫設された複数の本体構成ピースＡと、ボール頂部の表皮ピース模擬部を備えた第１連結用構成ピースＢ１と、ボール底部の表皮ピース模擬部を備えた第２連結用構成ピースＢ２とを有し、
前記第１連結用構成ピースＢ１と第２連結用構成ピースＢ２は、前記本体構成ピースＡの軸挿通孔に挿通される軸部を有するとともに、該両軸部の先端に、互いが脱着可能に連結される連結部を有することを特徴とする組み立て式ボール玩具。
［2］上記［1］のボール玩具において、表皮ピース模擬部が、複数の正五角形表皮ピース模擬部と、複数の正六角形表皮ピース模擬部とからなることを特徴とする組み立て式ボール玩具。
【０００７】
［3］上記［2］のボール玩具において、表皮ピース模擬部が、１２個の正五角形表皮ピース模擬部と、該正五角形表皮ピース模擬部を取り囲む状態に配される２０個の正六角形表皮ピース模擬部とからなり、
第１連結用構成ピースＢ１及び第２連結用構成ピースＢ２が、各々１つの正五角形表皮ピース模擬部を備え、
本体構成ピースＡとして、下記(1)〜(3)の本体構成ピースＡ１〜Ａ５を有することを特徴とする組み立て式ボール玩具。
(1) 各々が、前記第１連結用構成ピースＢ１又は第２連結用構成ピースＢ２の正五角形表皮ピース模擬部を取り囲む５個の正六角形表皮ピース模擬部を備えた、１対の本体構成ピースＡ１，Ａ２
(2) 各々が、前記本体構成ピースＡ１又は本体構成ピースＡ２の隣接する正六角形表皮ピース模擬部の２辺で構成される５つの各コーナー部に接する５個の正五角形表皮ピース模擬部を備えた、１対の本体構成ピースＡ３，Ａ４
(3) 前記両本体構成ピースＡ３，Ａ４の隣接する正五角形表皮ピース模擬部の各１辺に接し且つ前記本体構成ピースＡ１又は本体構成ピースＡ２の正六角形表皮ピース模擬部の１辺に接する１０個の正六角形表皮ピース模擬部を備えた本体構成ピースＡ５
【発明の効果】
【０００８】
本発明のボール玩具は、組み立て玩具として遊ぶことができ、しかも小型化することが容易で且つ低コストに製造することができる。このため、小さいプラスチックケースに入れられて自動販売機で販売されるような小型玩具（所謂ガチャポンと呼ばれる玩具）や、商品の景品として用いられる小型玩具などに特に好適なものである。
【発明を実施するための最良の形態】
【０００９】
図１〜図７は本発明のボール玩具の一実施形態を示すもので、図１は分解斜視図、図２は分解側面図、図３は組み立て状態の斜視図である。また、図４はボール玩具を構成する本体構成ピースＡ１，Ａ２を示すもので、（a1）は平面図、（a2）は背面図、（b1）は上面斜視図、（b2）は背面斜視図、（c）は側面図である。図５は同じくボール玩具を構成する本体構成ピースＡ３，Ａ４を示すもので、（a1）は平面図、（a2）は背面図、（b1）は上面斜視図、（b2）背面斜視図、（c）は側面図である。図６は同じくボール玩具を構成する本体構成ピースＡ５を示すもので、（a）は平面図、（b）は斜視図、（c）は側面図である。図７は同じくボール玩具を構成する第１連結用構成ピースＢ１及び第２連結用構成ピースＢ２を示す斜視図である。
なお、ボールは球体である故に、本来的にボール頂部、ボール底部なるものはないが、本発明では構成の説明の便宜上、図１〜図３の状態を基準として「ボール頂部」、「ボール底部」なる表現を用いることとする。
【００１０】
本発明の組み立て式ボール玩具は、組み立てた状態で、「複数の多角形の表皮ピースを縫い合わせてボールカバーが構成される球技用ボール」を模した外形状となるもので、前記表皮ピースを模した表皮ピース模擬部を有する複数の構成ピースから構成され、これら複数の構成ピースを互いに組み付けることにより球形状に組み立てられる。前記複数の構成ピースとしては、ボール周方向の複数の表皮ピース模擬部１を備え、中央部に軸挿通孔２が貫設された複数の本体構成ピースＡと、ボール頂部の表皮ピース模擬部を備えた第１連結用構成ピースＢ１と、ボール底部の表皮ピース模擬部を備えた第２連結用構成ピースＢ２とを有している。
これら本体構成ピースや連結用構成ピースの材質は特に制限されないが、通常、ゴム又はプラスチックで構成される。また、全体を消しゴムの素材で構成してもよい。
【００１１】
本実施形態では、前記表皮ピース模擬部１が、１２個の正五角形表皮ピース模擬部１ａと、この正五角形表皮ピース模擬部１ａを取り囲む状態に配される２０個の正六角形表皮ピース模擬部１ｂとからなっている。また、１つの本体構成ピースＡに隣接する正五角形表皮ピース模擬部１ａ又は正六角形表皮ピース模擬部１ｂがある場合には、それらの表皮ピース模擬部は本体構成ピースＡの外表面に形成又は表された溝又は線により区画されている。
【００１２】
本実施形態の本体構成ピースＡは、下記(1)〜(3)の本体構成ピースＡ１〜Ａ５から構成されている。これらの部材は、いずも中実のゴム又はプラスチックで構成されている。
(1) 各々が、前記第１連結用構成ピースＢ１又は第２連結用構成ピースＢ２の正五角形表皮ピース模擬部１ａを取り囲む５個の正六角形表皮ピース模擬部１ｂを備えた、１対の本体構成ピースＡ１，Ａ２
(2) 各々が、前記本体構成ピースＡ１又は本体構成ピースＡ２の隣接する正六角形表皮ピース模擬部１ｂの２辺で構成される５つの各コーナー部に接する５個の正五角形表皮ピース模擬部１ａを備えた、１対の本体構成ピースＡ３，Ａ４
(3) 前記両本体構成ピースＡ３，Ａ４の隣接する正五角形表皮ピース模擬部１ａの各１辺に接し且つ前記本体構成ピースＡ１又は本体構成ピースＡ２の正六角形表皮ピース模擬部１ｂの１辺に接する１０個の正六角形表皮ピース模擬部１ｂを備えた本体構成ピースＡ５
【００１３】
前記１対の本体構成ピースＡ１，Ａ２は、図４に示すように、外側面の中央部に第１連結用構成ピースＢ１又は第２連結用構成ピースＢ２の本体部（正五角形表皮ピース模擬部１ａを有する部分）を嵌め込むための、凹陥した五角形の嵌め込み部５を有するとともに、この嵌め込み部５内に軸挿通孔２ｘが貫設されている。そして、本体構成ピースＡ１，Ａ２には、前記嵌め込み部５を取り囲むようにして５個の正六角形表皮ピース模擬部１ｂが備えられている。
また、この本体構成ピースＡ１，Ａ２の隣接する正六角形表皮ピース模擬部１ｂの２辺で構成される５つのコーナー部の各裏側には、本体構成ピースＡ３，Ａ４の一部を嵌め込むための断面三角形の凹部６が形成されている。
【００１４】
前記１対の本体構成ピースＡ３，Ａ４は、図５に示すように、中心から放射状に突出した５個の突体部７を有し、その各先端に正五角形表皮ピース模擬部１ａを備えている。この本体構成ピースＡ３，Ａ４の中央部には、軸挿通孔２ｙが貫設されている。
また、前記突体部７の上部は断面三角形に構成され、この上部部分が前記本体構成ピースＡ１，Ａ２の断面三角形の凹部６に嵌め込まれるようになっている。
また、隣接する突体部７の各間には、対向する両突体部側面により楔状の凹部８が形成され、この各凹部８に本体構成ピースＡ５の一部が嵌め込まれるようになっている。
【００１５】
前記本体構成ピースＡ５は、図６に示されるように、ボール周方向において六角形の１辺どうしを接して連続する１０個の正六角形表皮ピース模擬部１ｂを備え、中央部には軸挿通孔２ｚが貫設されている。この本体構成ピースＡ５の両面側には、その外周方向に沿って間隔をおいて５個の突体部９（本体構成ピースＡ５の両面で計１０個）が形成されている。この各突体部９は、本体構成ピースＡ５の中心方向に向かって尖った楔状に構成されるともに、その前面が前記正六角形表皮ピース模擬部１ｂの一部を構成している。そして、この楔状の各突体部９が前記本体構成ピースＡ３，Ａ４の各凹部８に嵌め込まれるようになっている。
【００１６】
前記第１連結用構成ピースＢ１と第２連結用構成ピースＢ２は、図７に示されるように、各々１つの正五角形表皮ピース模擬部１ａを備えるとともに、前記本体構成ピースＡの軸挿通孔２に挿通される軸部３ａ，３ｂを有している。また、これら両軸部３ａ，３ｂの先端には、互いが脱着可能に連結される連結部４ａ，４ｂを有している。本実施形態では、一方の軸部３ａの連結部４ａは突軸により、他方の軸部３ｂの連結部４ｂは前記突軸が嵌挿される孔部により、それぞれ構成されている。
【００１７】
以上のような本実施形態のボール玩具では、本体構成ピースＡ５の両面側の楔状の突体部９を前記本体構成ピースＡ３，Ａ４の楔状の凹部８に各々嵌め込むことにより、本体構成ピースＡ５と本体構成ピースＡ３，Ａ４を組み付ける。さらに、本体構成ピースＡ３，Ａ４の突体部７の断面三角形の上部部分を本体構成ピースＡ１，Ａ２の断面三角形の凹部６に各々嵌め込むことにより、各本体構成ピースＡ３，Ａ４に対して本体構成ピースＡ１，Ａ２を組み付ける。これにより本体構成ピースＡ５、本体構成ピースＡ３，Ａ４、本体構成ピースＡ１，Ａ２の組み立てが完了し、この組み立て体の中心には各本体構成ピースＡの軸挿通孔２ｘ，２ｙ，２ｚにより構成される連続した軸挿通孔２が形成される。
【００１８】
前記第１連結用構成ピースＢ１と第２連結用構成ピースＢ２の軸部３ａ，３ｂを前記組み立て体の軸挿通孔２の両端、すなわち各本体構成ピースＡ１，Ａ２の軸挿通孔２ｘに差し込むとともに、第１連結用構成ピースＢ１と第２連結用構成ピースＢ２の本体部を本体構成ピースＡ１，Ａ２の五角形の嵌め込み部５にはめ込む。この状態で、第１連結用構成ピースＢ１の軸部３ａの連結部４ａ（突軸）が第２連結用構成ピースＢ２の軸部３ｂの連結部４ｂ（孔部）と連結され、ボール玩具の組み立てが完了する。この組み立て状態では、連結された前記第１連結用構成ピースＢ１と第２連結用構成ピースＢ２が、両側から本体構成ピースＡ１〜Ａ５の組み立て体を拘束するので、全構成ピースが一体化される。
【００１９】
以上の実施形態では、本体構成ピースＡを、本体構成ピースＡ５、本体構成ピースＡ３，Ａ４、本体構成ピースＡ１，Ａ２という５つの分割された本体構成ピースで構成したものであるが、この本体構成ピースの分割数や分割形態は任意であり、例えば、本体構成ピースＡを３つ又は６つ以上の本体構成ピースで構成してもよい。
さらに、上記の実施形態は、図７（ａ）に示すような、ボールカバーが複数の正五角形表皮ピース１０と、この正五角形表皮ピース１０を取り囲む状態に配される複数の正六角形表皮ピース１１とからなる球技用ボールを模したものであるが、表皮ピースの形状や個数はこれに限られるものではなく、例えば、図７（ｂ）に示されるような、複数の正五角形表皮ピース１２と、この正五角形表皮ピース１２を取り囲む状態に配される複数の３本腕放射形の表皮ピース１３とからなるものなど、適宜なボールを模したものとすることができ、それぞれに応じて表皮ピース模擬部１の形状及び数が決められる。
また、本発明のボール玩具には、その外表面（組み立てられた状態の球外面）に任意のデザインを表すことができ、例えば、各国の国旗のデザインをあしらってもよい。
【図面の簡単な説明】
【００２０】
【図１】本発明の組み立て式ボール玩具の一実施形態を示す分解斜視図
【図２】図１の実施形態の組み立て式ボール玩具の分解側面図
【図３】図１の実施形態の組み立て式ボール玩具を組み立てた状態で示す斜視図
【図４】図１の実施形態を構成する本体構成ピースＡ１，Ａ２を示すもので、（a1）は平面図、（a2）は背面図、（b1）は上面斜視図、（b2）は背面斜視図、（c）は側面図
【図５】図１の実施形態を構成する本体構成ピースＡ３，Ａ４を示すもので、（a1）は平面図、（a2）は背面図、（b1）は上面斜視図、（b2）は背面斜視図、（c）は側面図
【図６】図１の実施形態を構成する本体構成ピースＡ５を示すもので、（a）は平面図、（b）は斜視図、（c）は側面図
【図７】図１の実施形態を構成する第１連結用構成ピースＢ１及び第２連結用構成ピースＢ２を示す斜視図
【図８】本発明のボール玩具が適用される球技用ボールの形状例を示す説明図
【符号の説明】
【００２１】
Ａ１，Ａ２，Ａ３，Ａ４，Ａ５…本体構成ピース
Ｂ１…第１連結用構成ピース
Ｂ２…第２連結用構成ピース
１ａ…正五角形表皮ピース模擬部
１ｂ…正六角形表皮ピース模擬部
２，２ｘ，２ｙ，２ｚ…軸挿通孔
３ａ，３ｂ…軸部
４ａ，４ｂ…連結部
５…嵌め込み部
６…凹部
７…突体部
８…凹部
９…突体部
【図１】
2005118236.tif 000003
【図２】
2005118236.tif 000004
【図３】
2005118236.tif 000005
【図４】
2005118236.tif 000006
【図５】
2005118236.tif 000007
【図６】
2005118236.tif 000008
【図７】
2005118236.tif 000009
【図８】
2005118236.tif 000010